(57)【要約】【課題】デジタル放送を受信できるテレビ装置では著作権保護の観点から、Ｂ−ＣＡＳカード等のＩＣカードをテレビ装置にセットしなければ、テレビ装置を使用できないように構成されている。このＩＣカードは受信契約を承諾した使用者が自らテレビ装置にセットする必要があるが、ＩＣカードをセットすべきチューナ部が手の届きにくい位置に予め取り付けられているマンションの浴室テレビなどでは、ＩＣカードを設置業者がセットするほかない。【解決手段】設置業者がＩＣカードをセットしたあとで使用者が電源を入れると、テレビ画面に、受信契約書を読むことを促すメッセージを表示させ、受信契約書側にメッセージの解除方法を記載した。【選択図】  図３
2008124683.tif 000002
【特許請求の範囲】
【請求項１】
デジタル放送を受信可能なテレビ装置であって、所定のスイッチ類が設けられたテレビ画面表示部が室内に設置され、使用開始時点でチューナ部が既に室外に設置されるものについての視聴者による受信契約の承諾方法において、使用許諾用のＩＣカードがチューナ部に挿入された状態でテレビの電源がオンされると、受信契約書を読むことを促すメッセージをテレビ画面表示部に表示させ、受信契約書に記載された所定の解除手順に従ってテレビ画面表示部のスイッチ類に対する操作を行うと、それ以降の上記メッセージの表示を停止することを特徴とする受信契約の承諾方法。
【請求項２】
デジタル放送を受信可能なテレビ装置であって、所定のスイッチ類が設けられたテレビ画面表示部が室内に設置され、使用開始時点でチューナ部が既に室外に設置されるものにおいて、使用許諾用のＩＣカードの挿入部をチューナ部に有し、ＩＣカードが挿入部に挿入された状態で電源がオンされると、テレビ画面表示部に受信契約書を読むことを促すメッセージを表示させるメッセージ表示手段と、受信契約書に記載されている所定の解除操作がされると、それ以降のメッセージの表示を解除するメッセージ解除手段とを備えたことを特徴とするテレビ装置。
【請求項３】
上記解除操作は、チューナ部毎に固有のものであることを特徴とする請求項２に記載のテレビ装置。
【請求項４】
上記テレビ画面表示部は浴室内に設置され、チューナ部は浴室の天井裏に設置されるものであることを特徴とする請求項２または請求項３に記載のテレビ装置。
【請求項５】
上記所定の解除装置はテレビ画面表示部に設けられたスイッチ類に対して行うか、テレビ操作を行うリモコンに対して行うかの少なくとも一方であることを特徴とする請求項２から請求項４のいずれかに記載のテレビ装置。
【発明の詳細な説明】
【技術分野】
【０００１】
本発明は、デジタル放送が受信可能なテレビ装置と、そのテレビ装置に関する受信契約を承諾する方法に関する。
【背景技術】
【０００２】
デジタル放送では受信したコンテンツ等をデジタルデータとして保存することができ、その保存したデジタルデータは複製を繰り返しても劣化しない。そのため、コンテンツ等の著作権を保護するため、コンディショナルアクセスシステム(CAS:Conditional Access System)と呼ばれる限定受信システムが採用されている。
【０００３】
具体的には、ＢＳデジタル放送・地上デジタル放送・１１０度ＣＳデジタル放送用のＢ−ＣＡＳカードと呼ばれるＩＣカードや、デジタル化ケーブルテレビ用のＣ−ＣＡＳカードと呼ばれるＩＣカードをテレビ装置に設けられた挿入部に挿入しなければテレビ放送を鑑賞することができない（例えば、特許文献１参照）。
【０００４】
これらＩＣカードはテレビ装置に付属しており、パッケージに入れられて密閉されている。テレビの所有者である使用者は有限責任中間法人日本ケーブルキャスセンター等に対して受信契約を承諾する必要があり、ＩＣカードが密閉されているパッケージを開封する行為（シュリンクラップ）が受信契約の承諾とみなされる（例えば、非特許文献１参照）。
【０００５】
従って、デジタル放送を受信可能なテレビ装置を購入した使用者は、受信契約を理解し、承諾した場合に、自らパッケージの開封を行い、ＩＣカードをテレビ装置の挿入部に挿入する行為を行う必要がある。
【０００６】
なお、テレビ装置には複数の形態があり、例えばテレビ画面表示部とチューナ部とが別々に設けられ、テレビ画面表示部は浴室内に設置され、チューナ部は浴室の天井裏に設置される浴室テレビが知られている（例えば、特許文献２参照）。このような浴室テレビでは、防水上の要請からＩＣカードの挿入部はチューナ部に設けられている。
【特許文献１】特開２００３−３１９３６２号公報（図１）
【特許文献２】特開２００６−１７４３１４号公報（段落００１６、図１）
【非特許文献１】http://www.b-cas.co.jp/article.html
【発明の開示】
【発明が解決しようとする課題】
【０００７】
上記特許文献２に記載されているような、テレビ画面表示部とチューナ部とが分かれており、かつチューナ部が室外に設置されるようなテレビ装置であっては、チューナ部に設けられている挿入部に使用者自らがＩＣカードを挿入することは困難であるか、不可能な場合が生じる。このような場合には、設置業者が使用者の代理でＩＣカードを挿入することも考えられるが、新築マンションのように、設置業者がチューナ部を浴室の天井裏に設置する段階では、その設置されたテレビ装置の所有者が決まっていない場合があり、そのような場合には設置業者が使用者の代理でＩＣカードを挿入することができないという不具合が生じる。
【０００８】
そこで本発明は、上記の問題点に鑑み、使用者がＩＣカードを自ら挿入することが困難かあるいは不可能な場合であっても、使用者による受信契約の承諾意思を確認したあとに正常にテレビ放送を鑑賞することのできる受信契約の承諾方法およびテレビ装置を提供することを課題とする。
【課題を解決するための手段】
【０００９】
上記課題を解決するために本発明による受信契約の承諾方法は、デジタル放送を受信可能なテレビ装置であって、所定のスイッチ類が設けられたテレビ画面表示部が室内に設置され、使用開始時点でチューナ部が既に室外に設置されるものについての視聴者による受信契約の承諾方法において、使用許諾用のＩＣカードがチューナ部に挿入された状態でテレビの電源がオンされると、受信契約書を読むことを促すメッセージをテレビ画面表示部に表示させ、受信契約書に記載された所定の解除手順に従ってテレビ画面表示部のスイッチ類に対する操作を行うと、それ以降の上記メッセージの表示を停止することを特徴とする。
【００１０】
この方法によれば、予め設置業者等がＩＣカードをチューナ部に取り付けていても、そのままでは受信契約書を読むことを促すメッセージが常に表示され、満足な状態でテレビ放送、その他のコンテンツを利用することができない。使用者が受信契約書を読んでその契約を承諾した場合には、受信契約書に併記されている解除手順に従ってテレビ画面表示部のスイッチを操作することにより、メッセージの表示が停止される。
【００１１】
なお、このような受信契約の承諾方法に用いられるテレビ装置として、デジタル放送を受信可能なテレビ装置であって、所定のスイッチ類が設けられたテレビ画面表示部が室内に設置され、使用開始時点でチューナ部が既に室外に設置されるものにおいて、使用許諾用のＩＣカードの挿入部をチューナ部に有し、ＩＣカードが挿入部に挿入された状態で電源がオンされると、テレビ画面表示部に受信契約書を読むことを促すメッセージを表示させるメッセージ表示手段と、受信契約書に記載されている所定の解除操作がされると、それ以降のメッセージの表示を解除するメッセージ解除手段とを備えたことを特徴とするものが考えられる。
【００１２】
なお、上記解除操作は、チューナ部毎に固有のものであることが望ましい。
【００１３】
また、例えば、上記テレビ画面表示部は浴室内に設置され、チューナ部は浴室の天井裏に設置されるものである。
【００１４】
上記所定の解除装置はテレビ画面表示部に設けられたスイッチ類に対して行うか、テレビ操作を行うリモコンに対して行うかの少なくとも一方であればよい。
【発明の効果】
【００１５】
以上の説明から明らかなように、本発明は、使用者自らがＩＣカードを挿入することが困難であったり不可能であるようなテレビ装置であっても使用者の受信契約の承諾意思が確認されてからテレビ放送その他のコンテンツを利用可能状態にすることができる。
【発明を実施するための最良の形態】
【００１６】
図１を参照して、１は浴室ＢＲ内に設置されたテレビ画面表示部であり、この浴室ＢＲの天井裏にはチューナ部２がセットされている。チューナ部２はデジタル放送を受信することができ、受信したデジタル放送信号から画像および音声を復調して、ケーブル４を介してテレビ画面表示部１に送信する。また、テレビ画面表示部１のスイッチ類やリモコン３を介して行われた操作は操作信号に変換されて、ケーブル４を介してチューナ部２に送信される。
【００１７】
図２を参照して、チューナ部２にはＢ−ＣＡＳカードやＣ−ＣＡＳカードといったＩＣカードを挿入する挿入部２１が設けられている。本実施の形態では、チューナ部２を浴室ＢＲの天井裏に設置する際に設置業者によって、挿入部２１に既にＩＣカードが挿入されている。
【００１８】
その状態で使用者が操作スイッチ１１を操作してテレビの電源を入れると、ＯＳＤ（On Screen Display）機能により、テレビ画面に常時「受信契約書をお読み下さい」というメッセージ１２が出るように構成されている。
【００１９】
使用者はこのメッセージ１２が表示されていると、テレビ放送やその他のコンテンツを利用することができないので、これらコンテンツ等を利用したい場合には、受信契約書を読まざるを得なくなる。
【００２０】
図３を参照して、本実施の形態では使用許諾書５の右側にメッセージ１２の解除方法を記載した。ただし、その解除方法は剥がすことのできる粘着シール６１で覆われており、粘着シール６を剥がさなければ、解除方法を知ることができない。また、この粘着シール６に「このシールを剥がすと左記の受信契約を承諾したものとみなされます。」という注意書きを表示することにより、粘着シール６１を剥がす行為が受信契約を承諾したという意思表示であることを明確にした。なお、粘着シール６１は一度剥がすと全体に「承諾済み」の文字が現れ、再度粘着シール６１を元に戻そうとしても剥がされたことが確認できるようにした。
【００２１】
さて、メッセージ１２の解除方法は特に限定されるものではないが、通常のテレビ操作では行う可能性のないものが望ましい。例えば電源をオフにしたあと、例えば１０秒以内に複数の操作スイッチ１１を所定の順序で押し操作し、その後再び電源ボタンを長押しして電源をオンにする、等の方法が考えられる。
【００２２】
このように、各テレビ装置に共通した解除方法でもよいが、各テレビ装置毎に固有の解除方法を採用してもよい。具体的には、粘着シート６１で解除コードを覆い隠しておき、粘着シート６１を剥がすことによって現れる解除コードをテレビ装置に入力することが考えられる。
【００２３】
この解除コードを入力する方法としては、例えば図４に示すように、メッセージ１２の他に解除コードの入力窓１３を設け、操作スイッチ１１を適宜操作して、送りボタン１４と戻りボタン１５を選択し、入力窓１３に解除コードを入力する。
【００２４】
あるいは、図５に示すように、キーボード１６を表示させ、操作スイッチ１１でキーボードから順次文字や数字を選択して入力窓１３に解除コードを入力するようにしてもよい。
【００２５】
なお、この解除操作はテレビ画面表示部１の操作スイッチ１１を用いて行ってもよいが、リモコン３を用いて行ってもよい。
【００２６】
なお、本発明は上記した形態に限定されるものではなく、本発明の要旨を逸脱しない範囲内において種々の変更を加えてもかまわない。
【図面の簡単な説明】
【００２７】
【図１】本発明の一実施の形態の構成を示す図
【図２】テレビ画面表示部とチューナ部の詳細を示す図
【図３】受信契約書の一実施の形態を示す図
【図４】解除コードの入力方法を示す図
【図５】解除コードの他の入力方法を示す図
【符号の説明】
【００２８】
１  テレビ画面表示部
２  チューナ部
３  リモコン
４  ケーブル
５  使用許諾書
６  粘着シール
１１  操作スイッチ
１２  メッセージ
２１  挿入部
６１  粘着シール
ＢＲ  浴室
【図１】
2008124683.tif 000003
【図２】
2008124683.tif 000004
【図３】
2008124683.tif 000005
【図４】
2008124683.tif 000006
【図５】
2008124683.tif 000007